(57)【要約】【課題】  パソコンや携帯電話等の情報機器にて利用可能な音楽や画像等のソフトを手間をかけずに低コストで商品購入者に供給する。【解決手段】  商品３５，３６に貼付したＲＦＩＤラベル３４には、情報配給サーバー１０のＵＲＬや認証情報を記録しておく。商品を購入した消費者（情報の利用者）は、ＲＦＩＤラベル３４を読み出し、サーバー１０にアクセスして有益なソフトをダウンロードし、ＲＦＩＤラベル３４に記録する。【選択図】  図１
2006048159.tif 000002
【特許請求の範囲】
【請求項１】
コンピュータネットワークに接続可能な端末に所定の情報（データ）を配信する情報提供方法において、前記データの配信元サーバーにアクセスするために必要なアクセス情報を書き込んだ非接触型情報記録媒体を商品に添付し、流通させる行程と、商品を入手した消費者が前記非接触型情報記録媒体から消費者の端末に前記アクセス情報を読み取り、前記データの配信元にアクセスする行程と、前記データの配信元サーバーにアクセスしてきた端末に対し、前記データを配信可能とするための認証情報を要求する行程と、前記データ配信元サーバーに前記端末から前記認証情報を受け取った場合、前記データの配信元から前記端末に所定のデータを送信し、端末に一時保存する行程と、前記端末から前記データを前記非接触型情報記録媒体に転送記録し、端末から削除する行程とを備えることを特徴とする情報提供方法。
【発明の詳細な説明】
【技術分野】
【０００１】
本発明は、パーソナルコンピュータ（パソコン）や個人情報端末（ＰＤＡ）、携帯電話などの情報機器で利用可能な音楽や画像等のデータファイル、プログラム等を供給する情報提供方法に関する。
【背景技術】
【０００２】
近年、音楽、映像などのデジタルデータを再生して楽しめるパーソナルコンピュータや携帯電話等の情報機器が急速に普及している。そして、音楽や画像等のデジタルデータやプログラム（以後、適宜単に「ソフト」と略称する）は、消費者が、自分の所有するパソコン等の情報機器にインストール（コピー）して、利用される。
【０００３】
従来、このようなソフトの提供方法は、消費者が販売店でパッケージに梱包されたＣＤ−ＲＯＭやＤＶＤ−ＲＯＭを購入したり、雑誌等の付録として、あるいはデモ版などとして書店、電気店、駅構内などで無料配布されることもあった。
【０００４】
一方、特許文献１には、商品に識別情報文字列の記録されたラベルを貼付して販売し、インターネットを利用して懸賞応募を容易たらしめる技術が公開されている。
【０００５】
【特許文献１】特開特開２００２−２９７９９１号公報
【発明の開示】
【発明が解決しようとする課題】
【０００６】
ところで、上記従来の提供方法によると、提供するソフトをＣＤ−ＲＯＭやＤＶＤ−ＲＯＭに書き込んで消費者に供給するため、書き込み（制作）や、流通・宣伝・販売促進等に手間と費用がかかるという問題があった。
【０００７】
また、一旦ＣＤ−ＲＯＭなどに書き込まれ、パッケージに梱包されたソフトは、内容に不都合が生じた場合（たとえば、発売禁止など）、内容の変更が不可能であり、回収・交換などには非常な手間と費用がかかった。
【０００８】
さらに、上記従来の方法によれば、事実上同一のＣＤ−ＲＯＭやＤＶＤ−ＲＯＭから複数の情報機器へのインストールが可能である他、ＣＤ−ＲＯＭやＤＶＤ−ＲＯＭ自体の複製も可能であるため、常に著作権が侵害される危険にさらされていた。
【０００９】
本発明は、上記従来技術の問題点に鑑みてなされたもので、本発明の目的は、パソコン等の情報機器にて利用可能な音楽や画像等のデータやプログラムを手間をかけずに低コストで消費者に提供できると共に、不正コピーを防止できる情報提供方法の提供にある。
【課題を解決するための手段】
【００１０】
上記課題を解決するために本発明が採用する構成の特徴は、コンピュータネットワークに接続可能な端末に所定の情報（データ）を配信する情報提供方法において、前記データの配信元サーバーにアクセスするために必要なアクセス情報を書き込んだ非接触型情報記録媒体を商品に添付し、流通させる行程と、商品を入手した消費者が前記非接触型情報記録媒体から消費者の端末に前記アクセス情報を読み取り、前記データの配信元にアクセスする行程と、前記データの配信元サーバーにアクセスしてきた端末に対し、前記データを配信可能とするための認証情報を要求する行程と、前記データ配信元サーバーに前記端末から前記認証情報を受け取った場合、前記データの配信元から前記端末に所定のデータを送信し、端末に一時保存する行程と、前記端末から前記データを前記非接触型情報記録媒体に転送記録し、端末から削除する行程とを備えることにある。
【００１１】
上記構成により、消費者は商品に貼付して配布された非接触型情報記録媒体を端末により読みとりコンピュータネットワークにアクセスする。商品に付された非接触型情報記録媒体であることを、認証情報によって確認し、真性な商品購入者であること、アンケート等の協力者であること、宣伝に反応した消費者であること等の選択が可能となる。
【００１２】
そして、データ配信元サーバーから前記データを前記非接触型情報記録媒体に転送記録し、端末から削除することにより、ソフトは特定の非接触型情報記録媒体にのみ保存され、消費者はこの非接触型情報記録媒体から読みとることによりいつでもソフトを利用できる。一方、このソフトはパソコン等の情報機器内に残らないので、確実に著作権保護が図られる。
【発明の効果】
【００１３】
消費者（情報の利用者）等は商品等（サービスの提供や無料配布物を含む）に貼付して配布された非接触型情報記録媒体を端末で読み取ることにより、コンピュータネットワークにアクセスし、認証情報によって確認された後、データ配信元サーバーから有益なデータ等のソフトを非接触型情報記録媒体に転送記録できる。
【００１４】
そして、上記転送記録後は消費者側の端末からデータが削除され、ソフトは特定の非接触型情報記録媒体にのみ保存され、消費者はこの非接触型情報記録媒体から読みとることによりいつでもソフトを利用できる。一方、このソフトはパソコン等の情報機器内に残らず、記録媒体の性質上複製が困難なため、確実に著作権保護が図られる。
【００１５】
さらに、情報の配給者にとってみれば、提供するソフトを予めＣＤ−ＲＯＭやＤＶＤ−ＲＯＭに書き込んで供給する必要がなくなり、書き込み（制作）や、流通・宣伝・販売促進等の手間と費用が大幅に節約できる。
【００１６】
また、内容に不都合が生じた場合の発売禁止措置、内容の変更などは迅速容易であり、複数の情報機器へのインストールが不可能であるため、確実に著作権が保護されるという、優れた効果を奏する。
【発明を実施するための最良の形態】
【００１７】
以下に添付図面を参照して、本発明にかかる情報提供方法の好適な実施の形態を詳細に説明する。
【００１８】
図１は、この発明の実施の形態である情報提供方法の概要構成を示すブロック図である。図１において、情報配給サーバー１０は、図示しないファイアウォールやルータを介してインターネットＮに接続され、インターネットＮに接続されたクライアント２０−１〜２０−ｎ（２０）によってアクセスされる。なお、ここで、商品販売者の端末２０−１も、提供される情報の利用者（商品の消費者）の端末２０−ｎもほぼ同じハードウエア及びソフトウエア環境であるものとするが、商品販売者端末２０−１にはＲＦＩＤラベルプリンタ３０が備えられており、情報利用者端末２０−ｎにはＲＦＩＤリーダライタ３１が備えられている。商品販売者端末２０−１も情報利用者端末２０−ｎも複数存在するが、図１には便宜的に各一つずつ記載する。
【００１９】
サーバー１０の通信インタ ーフェース１７は、ＴＣＰ／ＩＰ（TransmissionControl Protocol/Internet Protocol）に従って、インターネットＮとの間の通信制御を行う。制御部１１は、各部を制御するものであり、主制御部１２、データベース制御部１３、認証照合部１４、メール送受信制御部１５およびＷｅｂページ生成部１６を有する。主制御部１２は、各部を制御するものであり、サーバー１０へのログインがあった場合に、認証処理などを行う。
【００２０】
データベース制御部１３は、情報配信記録（履歴）１８−１および顧客認証コード情報１８−２などの顧客情報１８をデータベース化して保持するデータベースに対するアクセス制御を行う。
【００２１】
認証照合部１４は、商品販売者端末２０−１や利用者端末２０−ｎからサーバー１０へのアクセスに対し、正規なアクセスであるか否かを判断し、情報配信するか否かを決定する。
【００２２】
メール送受信制御部１５は、クライアント２０との間で送受信される電子メールのアドレス管理や、メールフォーマットの作成などを行う。Ｗｅｂページ生成部１６は、クライアント２０が閲覧するＷｅｂページを生成する。記憶部１９は、ハードディスク装置などによって実現され、主制御部１２の制御によって各種データを記憶する。
【００２３】
クライアント２０−１〜２０−ｎは、それぞれユーザによって操作される複数のコンピュータ装置であり、モデム、ターミナルアダプタ、ルータなどの通信装置および電話回線などを介してインターネットＮに接続される。これらのクライアント２０−１〜２０−ｎは、ＴＣＰ／ＩＰに従い、インターネットＮを介してサーバー１０にアクセスする。
【００２４】
クライアント２０の制御部２２は、各部を制御し、Ｗｅｂブラウザ２３およびメーラー２４を有する。Ｗｅｂブラウザ２３は、入力部２８によって入力されたＵＲＬ（Uniform Resource Locator）をもとに、インターネットＮを介してサーバー１０からＷｅｂページのデータを取得し、このデータを解釈して出力部２９にＷｅｂページを表示させる表示制御を行う。入力部２８は、キーボード、マウスなどの入力デバイスによって実現される。出力部２９は、ディスプレイ、プリンタなどの出力デバイスによって実現される。
【００２５】
メーラー２４は、電子メールの作成、ＰＯＰ３（Post OfficeProtocol version 3）やＳＭＴＰ（Simple Mail Transfer Protocol）に従って、電子メールの送受信を行うプログラムである。ＨＤＤ（ハードディスク装置）２６は、大容量の記録媒体であり、コンピュータプログラムや各種のデータを記録する。ＲＡＭ２５は、読み出しおよび書き込みが可能な記録媒体であり、制御部２２によってアクセスされる。通信インタ ーフェース２７は、上述したＴＣＰ／ＩＰに従って、インターネットＮとの間の通信を制御する。入出力インターフェース２７は、入力部２８および出力部２９と各部との間のインターフェース処理を行う。
【００２６】
なお、クライアント装置２０−１〜２０−ｎは、家庭などに配置されるコンピュータ装置に限らず、たとえば、無線回線あるいは衛星回線などを介してインターネットＮに接続できる携帯端末などであってもよい。すなわち、クライアント装置２０−１〜２０−ｎは、サーバー１０にアクセスすることができる機器あるいは装置であればよく、インターネット以外のコンピュータネットワーク（たとえば、パソコン通信など）でもよい。
【００２７】
３０は後述する非接触型ＩＣラベル（ＲＦＩＤラベル）３４に対して内蔵のＩＣに情報の書き込み及び読み取りを行うＲＦＩＤリーダライタ３１と、ＲＦＩＤラベル３４の表面にヒューマン可読文字やバーコード、二次元コード等のシンボルを印字することができるプリンタ部３２とを備えるＲＦＩＤラベルプリンタであり、商品販売者端末２０−１に接続されている。なお、商品の消費者（本発明における、情報の利用者）の端末２０−ｎには、ＲＦＩＤリーダライタ３１が接続されているが、これはＲＦＩＤラベルプリンタ３０であっても構わない。
【００２８】
ＲＦＩＤラベル３４はＩＣを内蔵し、前記ＲＦＩＤリーダライタ３１と送受信を行う送受信手段と記憶手段を備えたＲＦＩＤインレット３３を、粘着剤等の貼付手段の設けられた印刷シートと一体化したもので、商品等に貼り付けて一体化することが可能な記録媒体である。そして、ＲＦＩＤインレット３３のＩＣ内には、書換不可能で各ＩＣ毎に異なるユニークな固定ＩＤと、書換可能な記憶エリアが設けられており、書換可能な記憶エリアには、たとえば、情報配給サーバー１０のＵＲＬ、利用者の認証ＩＤ、プリペイド機能などを追加記録できる。前記固定ＩＤは、そのまま後述する認証情報として利用することもできるし、書換可能な記憶エリア内に、新たに別の認証情報を設定することもできる。また、前記印刷シートには、ＩＣに記憶するのと同様の内容を記録することもできるし、説明文、利用規則などを記録することもできる。
【００２９】
商品販売者は、前記ＲＦＩＤラベル３４を、商品３５（たとえば雑誌）、３６（たとえば缶入り飲料）などに貼付して販売し、あるいはサービス提供の際に取引書類・証明書などに貼付して消費者に譲渡する。この際、ＲＦＩＤラベル３４にＲＦＩＤプリンタ３０にて、有価ポイント等を書き込んで、商品価格に情報提供サービスの価格を上乗せすることもできるし、アンケートなどの質問を付し、情報の配給者とタイアップすることもできる。
【００３０】
つぎに、図３に示すフローチャートを参照して、本情報提供方法について説明する。まず、商品を購入した消費者などの利用者は、商品を購入し又はサービスを受けた際に、この商品や、サービスを受けた証明書等に付されたＲＦＩＤラベル３４を、消費者側の端末２０−ｎのＲＦＩＤリーダライタ３１で読みとる。そして、情報配給サーバー１０のＵＲＬと、認証情報とを得る。
【００３１】
利用者は、このＵＲＬを用いて、クライアント２０からサーバー１０をアクセスし（ステップ１）、サーバー１０は、認証情報（ＩＤ）の入力やユーザに対するアンケート、利用規約の認証を含めたユーザ登録の入力依頼を行う（ステップ２）。
【００３２】
次に、利用者は、端末２０−ｎの画面等に表示されるメニューから、購入を希望する音楽情報ファイル、画像ファイル、文書や数値データ、プログラム等のソフトを選択する（ステップ３）。ここで、上記ソフトと前記商品３５，３６等との関係は、音楽雑誌に対して音楽や画像データ、缶入飲料に対してそのＣＭ音楽の音声ファイルなどの関連を持たせることも可能であるし、商品提供企業と情報配給企業の提携関係によるものでもよい。
【００３３】
次に、利用者はユーザ登録を行い（ステップ４）、この内容は顧客情報ＤＢ１８に登録される。
【００３４】
次に、情報配給サーバー１０から利用者端末２０−ｎに所望の情報が送信される。端末２０−ｎはこの情報をＲＡＭに一時記憶し、ＲＦＩＤラベル３４に書き込む。この取引履歴は、情報配給サーバー１０の配信情報ＤＢ１８−１に登録される（ステップ５）。なお、前記ＲＡＭに一時記憶された配信情報は、ＲＦＩＤラベル３４に書き込み後、または端末の電源を切った際に消去される。
【００３５】
情報配給サーバー１０は、配信した情報提供サービスに応じ、利用者に課金処理を行う（ステップ６）。この課金処理は、クレジットカードによるものでもよいし、予めＲＦＩＤラベル３４内に蓄積しておいたポイントの交換、または、振り込み用紙の郵送などでもよい。
【００３６】
以上のように、本実施の形態によると、消費者は商品等（サービスの提供や無料配布物を含む）に貼付して配布された非接触型情報記録媒体を端末で読み取ることにより、コンピュータネットワークにアクセスし、認証情報によって確認確認された後、データ配信元サーバーから有益なデータ等のソフトを非接触型情報記録媒体に転送記録できる。
【００３７】
そして、上記転送記録後は消費者側の端末からデータが削除され、ソフトは特定の非接触型情報記録媒体にのみ保存され、消費者はこの非接触型情報記録媒体から読みとることによりいつでもソフトを利用できる。一方、このソフトはパソコン等の情報機器内に残らず、記録媒体の性質上複製が困難なため、確実に著作権保護が図られる。
【００３８】
さらに、情報の配給者にとってみれば、提供するソフトを予めＣＤ−ＲＯＭやＤＶＤ−ＲＯＭに書き込んで供給する必要がなくなり、書き込み（制作）や、流通・宣伝・販売促進等の手間と費用が大幅に節約できる。
【００３９】
また、内容に不都合が生じた場合の発売禁止措置、内容の変更などは迅速容易であり、複数の情報機器へのインストールが不可能であるため、確実に著作権が保護されるという、優れた効果を奏する。
【図面の簡単な説明】
【００４０】
【図１】本発明の情報提供方法を実現するための構成を示すブロック図である。
【図２】図１のＲＦＩＤラベル内部のデータ構成を示す説明図である。
【図３】本発明の処理の流れを示すフロー図である。
【符号の説明】
【００４１】
１０…情報配給サーバー、２０−１…商品販売者端末、３０…ＲＦＩＤラベルプリンタ、３１…ＲＦＩＤリーダライタ、３４…ＲＦＩＤラベル、３５，３６…商品
【図１】
2006048159.tif 000003
【図２】
2006048159.tif 000004
【図３】
2006048159.tif 000005